(57)【要約】【課題】銀膜を介してガラス表面側と裏面側との間で通信し、無線電波による防曇用ヒータのスイッチ装置を構成する。【解決手段】ガラス表面側に配設した無線タグ６は、無線電波を受信するアンテナ３と、無線電波を受信して電源の供給を受け、この電源を利用してデータをアンテナ３から送信するタグＩＣ４と、データの送信をＯＮ／ＯＦＦ制御するスイッチ５とから成る。そして、鏡スイッチ装置２は、このような無線タグ６を複数種類有しており、それぞれの無線タグ６がガラス裏面側のリーダアンテナ１０を通じて電波の送受信を行うようになされている。従って、各無線タグ６のデータにガラス裏面側に配設した防曇用ヒータ９のＯＮ／ＯＦＦ機能、高温、低温の切り換え機能等を持たせることで、ガラスの表面側と裏面側とを無線電波を利用した鏡スイッチ装置２とすることが可能である。【選択図】  図１
2005124973.tif 000002
【特許請求の範囲】
【請求項１】
ガラス表面側に、無線電波を受信するアンテナと、無線電波を受信して電源の供給を受け、この電源を利用してデータをアンテナから送信するタグＩＣと、データの送信をＯＮ／ＯＦＦ制御するスイッチとから成る無線タグを配設し、ガラス裏面側にリーダアンテナを設置し、両者間で通信するようにしたことを特徴とする無線タグ鏡スイッチ装置。
【請求項２】
ガラス裏面側に配設した防曇用ヒータを、リーダアンテナとした請求項１に記載の無線タグ鏡スイッチ装置。
【請求項３】
前記スイッチは、二本の電極をガラス表面側に露呈させてなり、指で触ることによりＯＮ／ＯＦＦ切り換えが可能なものである請求項１又は２に記載の無線タグ鏡スイッチ装置。
【発明の詳細な説明】
【技術分野】
【０００１】
本発明は、鏡の防曇用ヒータをＯＮ／ＯＦＦするためのスイッチであって、無線電波（ここでは電磁波を含む、以下同じ）を受信して電源の供給を受け、この電源を利用してデータをアンテナから送信する無線タグを用いた鏡スイッチ装置に関するものである。
【背景技術】
【０００２】
例えば、洗面化粧台の鏡には、ガラスの裏面側に防曇用のヒータが配設されており、鏡の表面が曇ったときに、前記ヒータをＯＮ動作させて加熱し、鏡面に付着した水滴を消失させている。而して、このような防曇用のヒータをＯＮ／ＯＦＦさせるためのスイッチとして特許文献１に記載されたものがある。この特許文献１のスイッチは、ガラスの裏面側に銀幕を塗布形成しない部分を形成し、該部分に静電容量検知センサーを配設し、ガラス表面側に結露が発生することによって生ずる静電容量の変化を当該検知センサーで検知し、防曇用ヒータをＯＮ動作させて加熱し、結露を消失させるようにしている。
【０００３】
また特許文献２に記載された技術にあっては、ガラスの裏面側に銀膜を塗布形成しない領域を部分的に設け、該部分に光電式の受発光素子を設けてスイッチとしている。ガラス表面側に結露が発生した場合、使用者が銀膜の塗布形成されていない透明な部分のガラスの表面側に指を差し出すことにより、その反射光をガラス裏面側の受光素子が検知し、ガラス裏面側に配設したヒータをＯＮ動作させて加熱し、前記結露を消失させるようにしている。
【特許文献１】実開平６−５７２６２号公報
【特許文献２】実開平６−２９４６３号公報
【発明の開示】
【発明が解決しようとする課題】
【０００４】
ところが、前記特許文献１及び２に記載された発明にあっては、いずれもガラス裏面に銀膜の形成されていない部分を設ける必要があった。このような銀膜の形成されていない部分は、一旦、ガラス裏面の全面に銀膜を形成した後、これを剥離除去する必要があり、極めて面倒な作業となっていた。すなわち、銀膜の形成は、ガラス裏面の全面に銀引材料を均一に流し込み、蒸留水で洗い流して乾燥させることにより、ガラス裏面の全面に銀膜が残って形成されるものである。しかも、銀膜の部分的な剥離除去作業は、慎重に行わなければ、鏡の表面側からの見栄えが悪くなるという欠点があった。
しかも、従来においては、銀膜があるとガラスの表面側と裏面側との間では電波を用いた通信が不可能と考えられていたため、電波を用いた非接触式のスイッチ等を設置することはなされていなかった。
【０００５】
本発明は従来の前記課題に鑑みてこれを改良除去したものであって、銀膜を通じてガラス表面側と裏面側との間で通信ができることを見出し、防曇用の鏡スイッチ装置を提供せんとするものである。
【課題を解決するための手段】
【０００６】
而して、前記課題を解決するために本発明が採用した請求項１の手段は、ガラス表面側に、無線電波を受信するアンテナと、無線電波を受信して電源の供給を受け、この電源を利用してデータをアンテナから送信するタグＩＣと、データの送信をＯＮ／ＯＦＦ制御するスイッチとから成る無線タグを配設し、ガラス裏面側にリーダアンテナを設置し、両者間で通信するようにしたことを特徴とする無線タグ鏡スイッチ装置である。
【０００７】
本発明が採用した請求項２の手段は、ガラス裏面側に配設した防曇用ヒータを、リーダアンテナとした請求項１に記載の無線タグ鏡スイッチ装置である。
【０００８】
本発明が採用した請求項３の手段は、前記スイッチは、二本の電極をガラス表面側に露呈させてなり、指で触ることによりＯＮ／ＯＦＦ切り換えが可能なものである請求項１又は２に記載の無線タグ鏡スイッチ装置である。
【発明の効果】
【０００９】
請求項１の発明にあっては、ガラス表面側に配設した無線タグは、無線電波を受信するアンテナと、無線電波を受信して電源の供給を受け、この電源を利用してデータをアンテナから送信するタグＩＣと、データの送信をＯＮ／ＯＦＦ制御するスイッチとから成る。そして、鏡スイッチ装置は、このような無線タグを複数種類有しており、それぞれの無線タグがガラス裏面側のリーダアンテナを通じて電波の送受信を行うようになされている。従って、各無線タグのデータにガラス裏面側に配設した防曇用のヒータのＯＮ／ＯＦＦ機能、高温、低温の切り換え機能等を持たせることで、ガラスの表面側と裏面側とを無線電波を利用した鏡スイッチ装置とすることが可能である。
【００１０】
請求項２の発明にあっては、無線タグと情報のやりとりを行うリーダ側のアンテナをガラス裏面側に組み込んだ防曇用のヒータで兼用するようにしている。このように、防曇用ヒータを利用することで、別途専用のアンテナを設ける必要がなく、全体のコンパクト化及び低コスト化が可能である。
【００１１】
請求項３の発明にあっては、ガラス表面側に露呈させた二つの電極を指で触るだけでスイッチの切り換えが行える。スイッチ自体を薄型で簡単な構成とすることが可能であり、また低コスト化が可能であり、メンテナンスもフリーである。
【発明を実施するための最良の形態】
【００１２】
以下に、本発明の構成を図面に示す発明の実施の形態に基づいて説明すると次の通りである。図１は本発明の一実施の形態に係るものであり、図（Ａ）は鏡１の全体を示す側面図、図（Ｂ）は鏡スイッチ装置２の電気回路構成を示す図面である。同図に示す如く、この実施の形態の鏡スイッチ装置２は、無線電波を受信するアンテナ３と、無線電波を受信して電源の供給を受け、この電源を利用してデータをアンテナ３から送信する無線タグＩＣ４と、当該無線タグＩＣ４のデータの送信をＯＮ／ＯＦＦ制御するスイッチ５とからなる一つの無線タグ６を有し、当該無線タグ６が三つ設けられている。各無線タグＩＣ４のデータは、それぞれ防曇用ヒータ９の電源をＯＮ／ＯＦＦ制御する機能と、ヒータ９を高温の状態に維持する機能と、低温に維持する機能のいずれかに設定されている。またスイッチ５は、二つの電極をガラス７の表面側へ露呈させておけばよい。使用者が前記二つの電極を指（身体の一部）で触ることにより、ＯＮ動作するようになる。なお、スイッチ５は、他にもリミットスイッチであってもよく、静電容量センサーであってもよい。静電容量センサーである場合は、指先でセンサーをタッチすればよい。
【００１３】
一方、ガラス７の裏面側には銀膜８が塗布形成されている。銀幕８の厚みはできるだけ薄い方が無線電波を利用した信号の送受信にはよく、例えば銀膜８の厚みが８０ナノメートル程度であれば１２５ＫＨｚの電波の送受信が電波法の規制値以内の電波強度で可能であった。また銀膜８の背面側には防曇用ヒータ９とリーダアンテナ１０とが取り付けられている。リーダアンテナ１０は、前記鏡スイッチ装置２へ電源用の無線電波を送信すると共に、鏡スイッチ装置２のアンテナ３から発信される無線タグＩＣ４のデータを受信し、防曇用ヒータ９の制御回路（図示せず）にデータを送信するように設定されている。
なお、銀幕８のかわりに、数ミクロンから数十ミクロンの厚みを持つアルミ泊を用いた試験では、１２５ＫＨｚの電波の送受信が電波法の規制値以内の電波強度では不可能であった。
【００１４】
次に、このように構成された鏡スイッチ装置２の動作態様を説明する。今、鏡１のガラス表面が結露により曇っているとする。使用者は、鏡１の前面側のスイッチ装置２の無線タグＩＣ６を準備し、そのスイッチ５に指先を近づけるか又はタッチすることにより、これをＯＮにする。これによりリーダアンテナ１０から送信される無線電波を、無線タグＩＣのアンテナ３が受信し、無線タグＩＣ内部の電圧回路に動作用の電圧を発生させる。
【００１５】
またスイッチ５がＯＮになったことにより、無線タグＩＣ４に記憶されているデータが無線通信インターフエイスを通じてアンテナ３から防曇用ヒータ９の制御回路へ送信される。制御回路は、送信されたデータに応じた設定動作を行う。これにより、無線通信方式によるリモコン操作が行われたことになり、防曇用ヒータ９がＯＮ動作して鏡１を加熱し、ガラス表面の結露水を消失させる。
【００１６】
なお、リーダアンテナ１０は、ガラス裏面側の防曇用ヒータ９を用いるようにしてもよい。ヒータ９は、かなりの大きさを有しており、無線タグが使用する周波数の波長によっては好都合であり、捲線数をかなり減らすことが可能である。また防曇用のヒータ９を利用することにより、別途に専用のアンテナを設置する必要がないという利点もある。
【図面の簡単な説明】
【００１７】
【図１】本発明の一実施の形態に係るものであり、図（Ａ）は鏡の全体を示す側面図、図（Ｂ）は鏡スイッチ装置の電気回路構成を示す図面である。
【符号の説明】
【００１８】
１…鏡、２…鏡スイッチ装置、３…アンテナ、４…無線タグＩＣ、５…スイッチ、６…  無線タグ、７…ガラス、８…銀膜、９…防曇用ヒータ、１０…リーダアンテナ
【図１】
2005124973.tif 000003